(57)【特許請求の範囲】
【請求項１】
商品の売上登録処理に基づいて生成された取引データをプリンタによって印字用紙に印字してレシートとして発行可能な商品販売データ処理装置において、
前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得手段と、
この発行区分取得手段により取得された前記レシートの発行区分に応じ、前記レシートを発行するレシート発行処理又はレシート発行処理に相当する処理を選択的に実行するレシート発行手段と、
を備えることを特徴とする商品販売データ処理装置。
【請求項２】
前記レシートの発行区分に応じて前記レシート発行手段により実行される前記レシート発行処理の一つは、前記プリンタによる印字のフィードピッチ及び文字サイズを小さくした縮小印字による縮小レシートを発行するものであることを特徴とする請求項１記載の商品販売データ処理装置。
【請求項３】
前記レシートの発行区分に応じて前記レシート発行手段により実行される前記レシート発行処理の一つは、前記取引データとして合計金額のみを前記プリンタにより印字した合計のみレシートを発行するものであることを特徴とする請求項１記載の商品販売データ処理装置。
【請求項４】
前記レシートの発行区分に応じて前記レシート発行手段により実行される前記レシート発行処理の一つは、前記プリンタによる前記レシートの発行を中止するものであることを特徴とする請求項１記載の商品販売データ処理装置。
【請求項５】
前記レシートの発行区分に応じて前記レシート発行手段により実行される前記レシート発行処理の一つは、前記取引データとして合計金額のみを前記プリンタにより印字した領収書を発行するものであることを特徴とする請求項１記載の商品販売データ処理装置。
【請求項６】
前記レシートの発行区分に応じて前記レシート発行手段により実行される前記レシート発行処理に相当する処理の一つは、前記取引データをネットワークを介して所定の電子機器に送信するものであることを特徴とする請求項１記載の商品販売データ処理装置。
【請求項７】
前記レシートの発行区分に応じて前記レシート発行手段により実行される前記レシート発行処理に相当する処理の一つは、前記取引データを前記会員カードに設けられた記憶部に記憶するものであることを特徴とする請求項１記載の商品販売データ処理装置。
【請求項８】
前記レシートの発行区分に応じて前記レシート発行手段により実行される前記レシート発行処理に相当する処理の一つは、前記取引データに基づいて所定の印字形式に生成された印字データを前記会員カード毎に付された会員顧客を特定する識別番号に対応付けて印字データ記憶部に記憶するものであることを特徴とする請求項１記載の商品販売データ処理装置。
【請求項９】
レシートを印字発行可能なプリンタを搭載したレシート発行端末であって、
請求項７記載の商品販売データ処理装置により記憶部に取引データを記憶した会員カードから前記取引データを取得する取引データ取得手段と、
この取引データ取得手段により取得した前記取引データに応じ、前記レシートを発行するレシート発行処理を実行するレシート発行手段と、
を備えることを特徴とするレシート発行端末。
【請求項１０】
レシートを印字発行可能なプリンタを搭載し、請求項８記載の商品販売データ処理装置に接続されたレシート発行端末であって、
会員カードから会員顧客を特定する識別番号を取得する識別番号取得手段と、
この識別番号取得手段により取得した前記識別番号に基づき、印字データ記憶部に記憶された印字データを取得する印字データ取得手段と、
この印字データ取得手段により取得した前記印字データに応じ、前記レシートを発行するレシート発行処理を実行するレシート発行手段と、
を備えることを特徴とするレシート発行端末。
【請求項１１】
商品の売上登録処理に基づいて生成された取引データをプリンタによって印字用紙に印字してレシートとして発行可能な商品販売データ処理装置において用いられ、プロセッサ演算処理により実現されるレシート印字形式の選択方法であって、
前記レシートの発行に係る発行区分を予め複数用意し、会員カードを所有する会員顧客が希望する前記レシートの発行に係る発行区分を、当該会員顧客の前記会員カードに記憶されているデータを読み取ることにより取得する発行区分取得工程と、
この発行区分取得工程により取得した前記レシートの発行区分に応じ、前記レシートを発行するレシート発行処理又はレシート発行処理に相当する処理を選択的に実行するレシート発行工程と、
を含んでなることを特徴とするレシート印字形式の選択方法。
【請求項１２】
商品の売上登録処理に基づいて生成された取引データをプリンタによって印字用紙に印字してレシートとして発行可能な商品販売データ処理装置が備えるコンピュータを制御するプログラムであって、
前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得機能と、
この発行区分取得機能により取得された前記レシートの発行区分に応じ、前記レシートを発行するレシート発行処理又はレシート発行処理に相当する処理を選択的に実行するレシート発行機能と、
を前記コンピュータに実行させることを特徴とするプログラム。
【発明の詳細な説明】
【０００１】
【発明の属する技術分野】
本発明は、スーパーマーケットやコンビニエンスストア等で使用される商品販売データ処理装置、この商品販売データ処理装置とは別体で設けられるレシート発行端末、レシート印字形式の選択方法及びプログラムに関する。
【０００２】
【従来の技術】
一般に、この種の商品販売データ処理装置では、予めメモリに各商品に各々付された固有の商品コードに対応して、商品名称、販売価格等の商品情報が設定されたＰＬＵファイルを備え、バーコードスキャナ等により商品の商品コードが入力されるとＰＬＵファイルを検索して入力された商品コードに対応する品名、販売価格等の商品情報を読み出し、これらの商品情報に基づいて売上登録処理や、品名、価格等の表示処理、及び、レシート用紙やジャーナル用紙等に印字用紙への印字処理を行い、最終的な支払終了後に、レシートを発行してキャッシャが顧客に手渡すようにしている。このため、この種の商品販売データ処理装置では、レシートプリンタを必ず備えている。
【０００３】
ここに、レシートは売上商品の詳細を明示するために売上情報を印字したものであり、顧客が売上登録処理の正誤を確認したり、家計簿を付けたりするのに役立つ上に、最近では、領収書や駐車場サービス券としての役割を果たすことも多い。このような事情を考えると、商品販売に際してはレシートの発行が必要であり、現実に上記のように常にレシートを発行する店が多い。
【０００４】
【発明が解決しようとする課題】
ところが、実際の商品販売においては、金銭の受取後にレシートを発行しても、そのレシートを受け取らない顧客も少なくない。このため、ＰＯＳ端末等の脇に不要なレシートを廃棄するための廃棄箱を用意している店舗さえある。
【０００５】
これは、顧客個々の個人差にもよるが、一般的には、レシートが上記のような役割・機能を持たないケースもあるためと考えられる。例えば、少額の買物をした場合には、家計簿に付けることが少なく、又は、領収書や駐車場サービス券などとしての役割を果たすことが少ないので、レシートを受け取らない顧客が多い。また、少ない商品点数の買物をした場合には、レシートがなくても合計金額等の正誤の確認を暗算的に容易に行えることが多く、家計簿に付けるにしても記憶だけで特に支障がなく、レシートを受け取らない顧客が多い。特に、１品だけの買物の場合にはレシートを受け取らないケースが多い。このような事情は、少額の買物や少ない商品点数の買物が多いコンビニエンスストアなどの店舗で特に顕著であると考えられる。
【０００６】
レシートを発行しても顧客が受け取らないケースも少なくない事情を考慮すると、商品販売に際して、常にレシートを発行させるのは得策とはいえず、不要となるレシートであっても発行するとなると印字用紙代やレシートプリンタを印字駆動させる消費電力代に無駄を生じてしまう。特に、レシートプリンタをサーマルプリンタにより構成した場合、印字用紙として用いられるサーマル用紙は高価であるので、用紙代の無駄が大きくなってしまう。
【０００７】
加えて、従来のレシート発行方式によると、常に見やすさを優先させた文字サイズ及びフィードピッチで印字用紙に売上情報を印字してレシートを発行させるようにしているため、例えば、数十個といった多数の商品点数（アイテム数）の買物をした場合には、発行されるレシートの長さが非常に長くなってしまう。この結果、レシートが丸まった状態で発行されたり、受け取った顧客が財布等にしまう際には２つ折り、４つ折りといった具合に小さくたたまなくてはならず、不便で取り扱いにくくなってしまう。
【０００８】
本発明の目的は、レシート発行形式を会員顧客の希望に沿って自動選択することができる商品販売データ処理装置、レシート印字形式の選択方法及びプログラムを提供することである。
【０００９】
本発明の目的は、家計簿の記載等の所望のタイミングで印字データに基づくレシート等をまとめて印字発行することができる商品販売データ処理装置及びレシート発行端末を提供することである。
【００１０】
【課題を解決するための手段】
請求項１記載の発明の商品販売データ処理装置は、商品の売上登録処理に基づいて生成された取引データをプリンタによって印字用紙に印字してレシートとして発行可能な商品販売データ処理装置において、前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得手段と、この発行区分取得手段により取得された前記レシートの発行区分に応じ、前記レシートを発行するレシート発行処理又はレシート発行処理に相当する処理を選択的に実行するレシート発行手段と、を備える。
【００１１】
したがって、会員カードを所有する会員顧客が希望するレシートの発行に係る発行区分に応じ、レシートを発行するレシート発行処理又はレシート発行処理に相当する処理が選択的に実行される。これにより、レシートの発行に係る発行区分（つまり、レシート発行形式）を会員顧客毎に自動的に選択することが可能になるので、例えばレシートを希望しない顧客に対してはレシートの発行を中止し、電子データを希望する顧客に対してはレシートデータをＥメールで転送する等のレシート発行形式を会員顧客の希望に沿って自動選択することが可能になる。
【００１２】
請求項２記載の発明は、請求項１記載の商品販売データ処理装置において、前記レシートの発行区分に応じて前記レシート発行手段により実行される前記レシート発行処理の一つは、前記プリンタによる印字のフィードピッチ及び文字サイズを小さくした縮小印字による縮小レシートを発行するものである。
【００１３】
したがって、たとえ買上げ商品点数が多い場合であってもレシート長を短く抑えることが可能な縮小レシートが発行されることにより、財布等にレシートをしまう際におけるレシートの取り扱いを容易にすることが可能になるとともに、印字用紙の消費量を低減することが可能になる。
【００１４】
請求項３記載の発明は、請求項１記載の商品販売データ処理装置において、前記レシートの発行区分に応じて前記レシート発行手段により実行される前記レシート発行処理の一つは、前記取引データとして合計金額のみを前記プリンタにより印字した合計のみレシートを発行するものである。
【００１５】
したがって、合計金額のみを確認したい顧客に対しては、無駄となる売上明細等を排除して合計金額のみが印字された合計のみレシートが発行されることにより、印字用紙の消費量を低減することが可能になる。
【００１６】
請求項４記載の発明は、請求項１記載の商品販売データ処理装置において、前記レシートの発行区分に応じて前記レシート発行手段により実行される前記レシート発行処理の一つは、前記プリンタによる前記レシートの発行を中止するものである。
【００１７】
したがって、レシートが不要な顧客に対しては、最初からレシートが発行されないので、印字用紙の無駄や印字用の消費電力の無駄が少なくなる。
【００１８】
請求項５記載の発明は、請求項１記載の商品販売データ処理装置において、前記レシートの発行区分に応じて前記レシート発行手段により実行される前記レシート発行処理の一つは、前記取引データとして合計金額のみを前記プリンタにより印字した領収書を発行するものである。
【００１９】
したがって、領収書のみが発行されることにより、領収書発行の際にはレシートを無駄に発行することが防止されるので、印字用紙の消費量を低減することが可能になる。
【００２０】
請求項６記載の発明は、請求項１記載の商品販売データ処理装置において、前記レシートの発行区分に応じて前記レシート発行手段により実行される前記レシート発行処理に相当する処理の一つは、前記取引データをネットワークを介して所定の電子機器に送信するものである。
【００２１】
したがって、商品の売上登録処理に基づいて生成された取引データを電子機器にインストールされている家計簿ソフトウェア等に直接取り込むことが可能になるので、使い勝手が飛躍的に向上する。
【００２２】
請求項７記載の発明は、請求項１記載の商品販売データ処理装置において、前記レシートの発行区分に応じて前記レシート発行手段により実行される前記レシート発行処理に相当する処理の一つは、前記取引データを前記会員カードに設けられた記憶部に記憶するものである。
【００２３】
したがって、商品の売上登録処理に基づいて生成された取引データを会員カードに設けられた記憶部にまとめておき、データが必要な場合には会員カードに設けられた記憶部から取引データを出力することが可能になるので、使い勝手が飛躍的に向上する。
【００２４】
請求項８記載の発明は、請求項１記載の商品販売データ処理装置において、前記レシートの発行区分に応じて前記レシート発行手段により実行される前記レシート発行処理に相当する処理の一つは、前記取引データに基づいて所定の印字形式に生成された印字データを前記会員カード毎に付された会員顧客を特定する識別番号に対応付けて印字データ記憶部に記憶するものである。
【００２５】
したがって、商品の売上登録処理に基づいて生成された取引データに基づいて所定の印字形式に生成された印字データが必要な場合に、その印字データに対応付けられている会員カード毎に付された会員顧客を特定する識別番号を入力することで印字データに基づくレシート等を印字発行することが可能になる。例えば、一定期間にわたって印字データをまとめて印字データ記憶部に記憶しておき、家計簿の記載等の所望のタイミングで印字データに基づくレシート等をまとめて印字発行することが可能になるので、使い勝手が飛躍的に向上する。
【００２６】
請求項９記載の発明のレシート発行端末は、レシートを印字発行可能なプリンタを搭載したレシート発行端末であって、請求項７記載の商品販売データ処理装置により記憶部に取引データを記憶した会員カードから前記取引データを取得する取引データ取得手段と、この取引データ取得手段により取得した前記取引データに応じ、前記レシートを発行するレシート発行処理を実行するレシート発行手段と、を備える。
【００２７】
したがって、例えば、一定期間にわたって取引データをまとめて会員カードの記憶部に記憶しておき、家計簿の記載等の所望のタイミングで取引データに基づくレシート等をまとめて印字発行することが可能になるので、使い勝手が飛躍的に向上する。
【００２８】
請求項１０記載の発明のレシート発行端末は、レシートを印字発行可能なプリンタを搭載し、請求項８記載の商品販売データ処理装置に接続されたレシート発行端末であって、会員カードから会員顧客を特定する識別番号を取得する識別番号取得手段と、この識別番号取得手段により取得した前記識別番号に基づき、印字データ記憶部に記憶された印字データを取得する印字データ取得手段と、この印字データ取得手段により取得した前記印字データに応じ、前記レシートを発行するレシート発行処理を実行するレシート発行手段と、を備える。
【００２９】
したがって、会員顧客を特定する識別番号に基づいて印字データ記憶部から所望の印字データが取得され、この印字データに応じてレシートを発行するレシート発行処理が実行される。これにより、例えば、一定期間にわたって印字データをまとめて印字データ記憶部に記憶しておき、家計簿の記載等の所望のタイミングで印字データに基づくレシート等をまとめて印字発行することが可能になるので、使い勝手が飛躍的に向上する。
【００３０】
請求項１１記載の発明のレシート印字形式の選択方法は、商品の売上登録処理に基づいて生成された取引データをプリンタによって印字用紙に印字してレシートとして発行可能な商品販売データ処理装置において用いられ、プロセッサ演算処理により実現されるレシート印字形式の選択方法であって、前記レシートの発行に係る発行区分を予め複数用意し、会員カードを所有する会員顧客が希望する前記レシートの発行に係る発行区分を、当該会員顧客の前記会員カードに記憶されているデータを読み取ることにより取得する発行区分取得工程と、この発行区分取得工程により取得した前記レシートの発行区分に応じ、前記レシートを発行するレシート発行処理又はレシート発行処理に相当する処理を選択的に実行するレシート発行工程と、を含んでなる。
【００３１】
したがって、会員カードを所有する会員顧客が希望するレシートの発行に係る発行区分に応じ、レシートを発行するレシート発行処理又はレシート発行処理に相当する処理が選択的に実行される。これにより、レシートの発行に係る発行区分（つまり、レシート発行形式）を会員顧客毎に自動的に選択することが可能になるので、例えばレシートを希望しない顧客に対してはレシートの発行を中止し、電子データを希望する顧客に対してはレシートデータをＥメールで転送する等のレシート発行形式を会員顧客の希望に沿って自動選択することが可能になる。
【００３２】
請求項１２記載の発明のプログラムは、商品の売上登録処理に基づいて生成された取引データをプリンタによって印字用紙に印字してレシートとして発行可能な商品販売データ処理装置が備えるコンピュータを制御するプログラムであって、前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得機能と、この発行区分取得機能により取得された前記レシートの発行区分に応じ、前記レシートを発行するレシート発行処理又はレシート発行処理に相当する処理を選択的に実行するレシート発行機能と、を前記コンピュータに実行させる。
【００３３】
したがって、会員カードを所有する会員顧客が希望するレシートの発行に係る発行区分に応じ、レシートを発行するレシート発行処理又はレシート発行処理に相当する処理が選択的に実行される。これにより、レシートの発行に係る発行区分（つまり、レシート発行形式）を会員顧客毎に自動的に選択することが可能になるので、例えばレシートを希望しない顧客に対してはレシートの発行を中止し、電子データを希望する顧客に対してはレシートデータをＥメールで転送する等のレシート発行形式を会員顧客の希望に沿って自動選択することが可能になる。
【００３４】
【発明の実施の形態】
本発明の第一の実施の形態を図１ないし図１３に基づいて説明する。
【００３５】
本実施の形態の商品販売データ処理システムは、会員として契約した各顧客に対してそれぞれ固有の識別番号である会員コード等をＩＣメモリに記録した会員カードを発行し、この会員カードを所有する顧客の買上合計金額に対して一定比率のサービスポイントを与えるようにしたポイントサービス制度を実施する店舗で利用されるものである。
【００３６】
ここで、図１は商品販売データ処理システム１を概略的に示すシステム構成図である。図１に示すように、商品販売データ処理装置である商品販売データ処理システム１は、概略的には、複数台のＰＯＳ（Point of Sales：販売時点管理）端末２とこれらのＰＯＳ端末２をＬＡＮ３によって接続して集中管理するストアコンピュータ４とで構成されるＰＯＳシステム５と、ストアコンピュータ４に対して専用回線６を介してオンラインで接続されたサーバコンピュータ（以下、会員サーバという）７とにより構成されている。
【００３７】
ＰＯＳ端末２は、精算場所に配設されてキャッシャが売上処理を行うためのものであり、図２に示すような構成とされている。ＰＯＳ端末２には、本体８の上面側にキーボード９が設けられており、本体８の下部側にはドロワ１０が引出自在に設けられている。また、本体８の奥側には表示器１１が設けられている。さらに、ＰＯＳ端末２には、商品コードを光学的に読み取るためのバーコードスキャナ１３も接続されている。
【００３８】
加えて、このＰＯＳ端末２には、ＩＣカードである会員カードＣの挿入を受付け、その会員カードＣとの間でデータの授受を行うＩＣカードリーダライタ１２が接続されている。なお、会員カードＣには、例えばＣＰＵ（Central Processing Unit）や記憶部として機能するＥＥＰＲＯＭ（Electrically ＥＰＲＯＭ）等で構成されるＩＣメモリ（図示せず）が内蔵されており、ＥＥＰＲＯＭには会員コードを記憶する会員コード記憶エリアや各種データを書換自在に記憶するデータ記憶エリア等が形成されている。
【００３９】
図３にキーボード９のキー配置を示す。このキーボード９には、商品区分登録を行うための部門キー９ａ、商品コードや金額等を入力するための「０」から「９」までの置数キー９ｂ、売上処理において現金による決済を宣言するための預／現計キー９ｃ、売上合計金額の算出を宣言するための小計キー９ｄ等の各種キーが設けられている。また、キーボード９の一部には、ポイントサービスに関連したキーとして、「顧客ポイント」キー９ｅ、及び、「ポイント値引」キー９ｆが設けられている。「顧客ポイント」キー９ｅは、売上処理において会員カードＣをＩＣカードリーダライタ１２で読み取らせるための読み取り動作を宣言するキーである。「ポイント値引」キー９ｆは、売上処理においてポイント数に応じた特典として所定の値引金額を売上金額から値引く値引処理を実行する際に会員カードＣをＩＣカードリーダライタ１２で読み取らせるための読み取り動作を宣言するキーである。なお、９ａ〜９ｆ以外のキーについては、従来のＰＯＳ端末やＥＣＲが備えるキーであって本実施の形態のＰＯＳ端末２に特有の機能とは無関係であるため、その説明は省略する。
【００４０】
このようなＰＯＳ端末２の電装系は図４に示すように構成されている。ＰＯＳ端末２は、ＣＰＵ（Central Processing Unit）、制御プログラムを格納するＲＯＭ（Read Only Memory）、ＲＡＭ（Random Access Memory）等で構成されるコンピュータ構成のＰＯＳ制御部１４と、不揮発性ＲＯＭ等で構成されるメモリ部１５とを保有し、バス１６を介して接続された通信インタフェース１７から、ＬＡＮ３を介してストアコンピュータ４との間で相互にオンライン通信を実行し得るように構成されている。そして、ＰＯＳ制御部１４は、ＣＰＵがＲＯＭの制御プログラムに従って動作することにより、後述する発行区分取得手段やレシート発行手段を実現する。
【００４１】
また、ＰＯＳ制御部１４には、バス１６及びＩ／Ｏ機器制御部１８を介して、前述したキーボード９、表示器１１、ＩＣカードリーダライタ１２、バーコードスキャナ１３とともにプリンタ１９が接続されている。このプリンタ１９は、ＰＯＳ端末２の本体８内に内蔵されたレシート／ジャーナルプリンタであり、売上処理に伴い印字用紙であるレシート用紙に印字し、取引単位で後述するようなレシートを発行するとともに、並行してジャーナル用紙への印字を行うものである。
【００４２】
次に、ストアコンピュータ４について説明する。ストアコンピュータ４は、ＰＯＳシステム５全体の制御を受持ち、その電装系は、例えば、図５に示すような構成とされている。ストアコンピュータ４は、ＣＰＵ、ＲＯＭ、ＲＡＭ等で構成されるコンピュータ構成の制御部２０と、メモリ部２１とを保有し、バス２２を介して接続された通信インタフェース２３ａから、ＬＡＮ３を介して複数台のＰＯＳ端末２との間で相互にオンライン通信を実行し得るように構成されている。また、制御部２０には、通信インタフェース２３ｂがバス２２を介して接続されており、ネットワークであるインターネット（図示せず）に接続可能とされている。さらに、制御部２０にはバス２２及びＩ／Ｏ機器制御部２４を介して、キーボード２５、表示器２６、プリンタ２７及びハードディスクドライブ装置（ＨＤＤ）２８が接続されている。ハードディスクドライブ装置（ＨＤＤ）２８には、制御部２０のＣＰＵを動作させる制御プログラムの他、商品マスタファイルＦ１、売上ファイルＦ２等が格納されている。なお、商品マスタファイルＦ１は商品コードに対応付けて商品名や単価を記憶するものであって、売上ファイルＦ２は各ＰＯＳ端末２から送信される売上登録データを記憶するものである。
【００４３】
以上のようなＰＯＳ端末２とストアコンピュータ４とで構成されるＰＯＳシステム５の売上処理の際の動作について簡単に説明する。例えば商品に付された商品コードがＰＯＳ端末２のバーコードスキャナ１３によって読み取られると、ＰＯＳ端末２は読み取った商品コードをストアコンピュータ４に問合せる。そして、商品コードを問合せられたストアコンピュータ４側においては、ＰＯＳ端末２からの問合せにより商品マスタファイルＦ１を検索し、該当する商品コードに対応した商品名や単価等を読み出してＰＯＳ端末２へ送信する。また、ＰＯＳ端末２は、ストアコンピュータ４からの商品名や単価等を受信し、問合せした商品コード及び受信した商品名や単価等に基づいて部門別登録や表示器１１への表示、またプリンタ１９により印字出力を行い、さらに売上登録したデータをストアコンピュータ４へ送信する。さらに、ＰＯＳ端末２から売上登録したデータを送信されたストアコンピュータ４側では、ＰＯＳ端末２からの売上登録データを売上ファイルＦ２に累計する。
【００４４】
続いて、会員サーバ７について説明する。会員サーバ７の電装系は、例えば、図６に示すような構成とされている。会員サーバ７は、ＣＰＵ、ＲＯＭ、ＲＡＭ等で構成されるコンピュータ構成のサーバ制御部２９と、メモリ部３０とを保有し、バス３１を介して接続された通信インタフェース３２から、ＬＡＮ３を介してストアコンピュータ４との間で相互にオンライン通信を実行し得るように構成されている。また、サーバ制御部２９にはバス３１及びＩ／Ｏ機器制御部３３を介して、キーボード３４、表示器３５、プリンタ３６及びハードディスクドライブ装置（ＨＤＤ）３７が接続されている。なお、ハードディスクドライブ装置（ＨＤＤ）３７には、サーバ制御部２９のＣＰＵを動作させる制御プログラムの他、ポイントファイルとして機能して会員情報（氏名、年齢、住所、Ｅメールアドレス等）や累計ポイントを会員顧客毎に記憶する会員マスタファイルＦ３、後述するレシートの発行形式選択に係るデータを会員コードに対応付けて記憶するレシート選択ファイルＦ４等が格納されている。
【００４５】
ここで、図７はレシート選択ファイルＦ４のデータ構成を模式的に示す説明図である。図７に示すように、レシート選択ファイルＦ４は、レシートの発行形式選択に係るデータを会員カードＣの顧客情報を構成する会員コードに対応付けて記憶したものである。レシートの発行形式選択に係るデータは、レシートの発行形式Ｎｏ．であって、
発行形式Ｎｏ．１  ：  通常レシート発行
発行形式Ｎｏ．２  ：  縮小印字
発行形式Ｎｏ．３  ：  合計のみ印字
発行形式Ｎｏ．４  ：  レシート発行不要
発行形式Ｎｏ．５  ：  領収書発行
発行形式Ｎｏ．６  ：  Ｅメール転送
発行形式Ｎｏ．７  ：  ＩＣカード蓄積
の７パターンに区分けされている。なお、このような区分けは、入会時に顧客の希望によって登録される。
【００４６】
ここで、発行形式Ｎｏ．２の縮小印字は、プリンタ１９による印字の際に通常印字に比べて印字文字サイズやフィードピッチを小さくすることにより、発行されるレシートの長さを短くするものである。発行形式Ｎｏ．３の合計のみ印字は、プリンタ１９による印字の際に通常印字とは異なり売上商品の明細を印字することなく合計金額のみを印字することにより、発行されるレシートの長さを短くするものである。発行形式Ｎｏ．４のレシート発行不要は、レシートの発行を中止するものである。発行形式Ｎｏ．５の領収書発行は、レシートを領収書の態様で発行するものである。発行形式Ｎｏ．６のＥメール転送は、プリンタ１９によってレシートを印字発行するのではなく、レシート情報（レシートイメージやＣＳＶ形式データ等）をＥメールによって買上げ客の指定するパーソナルコンピュータ等に転送するものである。発行形式Ｎｏ．７のＩＣカード蓄積は、プリンタ１９によってレシートを印字発行するのではなく、レシート情報（ＣＳＶ形式データ等）を会員カードＣのＥＥＰＲＯＭに転送するものである。
【００４７】
サーバ制御部２９は、ＣＰＵがハードディスクドライブ装置（ＨＤＤ）３７の制御プログラムに従って動作することにより、後述する発行区分取得手段やレシート発行手段を実現する。
【００４８】
次に、本実施の形態の売上処理について、ＰＯＳ端末２側のＰＯＳ制御部１４による制御処理を示す図８のフローチャート、及び、会員サーバ７側のサーバ制御部２９による制御処理を示す図９のフローチャートを参照して説明する。顧客による商品買上げがあった場合、任意のＰＯＳ端末２において、その買上げ商品の売上登録処理が終了した後に（図８中のステップＳ１）、ポイントサービス関連処理が実行される。
【００４９】
まず、顧客により会員カードＣが提示された場合には、キャッシャは「顧客ポイント」キー９ｅを操作する。ＰＯＳ制御部１４が「顧客ポイント」キー９ｅの操作を検知すると（ステップＳ２のＹ）、今回の商品買上げ金額に基づくポイント値の算出処理を実行する（ステップＳ３）。
【００５０】
次に、提示された会員カードＣについてＩＣカードリーダライタ１２で読み取りを行って会員コードを取得し（ステップＳ４）、その会員コードをキーとしてストアコンピュータ４を介して会員サーバ７側にポイントの問合せ及びレシート発行形式の問合せを行う（ステップＳ５）。なお、ポイントの問合せには、算出された今回のポイント値も含まれる。ここに、発行区分取得手段の機能の一部が実行される。
【００５１】
これらの問合せを受けた会員サーバ７側では、図９に示すように、ポイント累積の問合せを含むものと認識し（ステップＳ２１のＹ）、問合せのあった会員コードに基づいて会員マスタファイルＦ３を検索し、会員マスタファイルＦ３に今回のポイント値を累積加算して会員マスタファイルＦ３を更新するとともに、更新された累積ポイント値を読み出す（ステップＳ２２）。
【００５２】
加えて、問合せのあった会員コードに基づいてレシート選択ファイルＦ４を検索し、レシートの発行形式選択に係るデータ（「レシートの発行形式Ｎｏ．」）を読み出す（ステップＳ２３）。
【００５３】
その後、読み出した累積ポイント値及びレシートの発行形式選択に係るデータ（「レシートの発行形式Ｎｏ．」）を含む伝文をセットし（ステップＳ２４）、その伝文を問合せのあったＰＯＳ端末２に応答する（ステップＳ２５）。ここに、発行区分取得手段の機能の一部が実行される。
【００５４】
ポイント値及びレシート発行形式を問合せたＰＯＳ端末２では、この応答を受けた後、預／現計キー９ｃなどの締めキーが操作されたかをチェックし（ステップＳ６）、締めキーが操作されていれば（ステップＳ６のＹ）、締め処理を実行する（ステップＳ７）。この締め処理においては、売上登録処理された売上登録データをストアコンピュータ４へ送信する等の処理が実行される。なお、このようにストアコンピュータ４へ送信された売上登録データは、売上ファイルＦ２に記憶される。
【００５５】
その後、ステップＳ８に進み、レシート発行処理を実行する。ここに、レシート発行手段の機能が実行される。レシート発行処理は、会員サーバ７から受信した「レシートの発行形式Ｎｏ．」に基づいて実行される。以下、「レシートの発行形式Ｎｏ．」毎に説明する。
【００５６】
会員サーバ７から受信した「レシートの発行形式Ｎｏ．」が“１”であった場合には、累計ポイント値の情報を含む取引データをプリンタ１９によって印字用紙上に標準ピッチ及び標準文字サイズで印字し、図１０に示すような標準とされるレシート（通常レシート）Ｒ１を発行する。
【００５７】
会員サーバ７から受信した「レシートの発行形式Ｎｏ．」が“２”であった場合には、累計ポイント値の情報を含む取引データをプリンタ１９によって印字用紙上に通常印字に比べて印字文字サイズやフィードピッチを小さくして印字し、図１１に示すような通常レシートに比べて長さの短いレシート（縮小レシート）Ｒ２を発行する。このように縮小レシートＲ２を発行することにより、たとえ買上げ商品点数が多い場合であってもレシート長を短く抑えることが可能になり、財布等にレシートをしまう際におけるレシートの取り扱いを容易にすることが可能になるとともに、印字用紙の消費量を低減することが可能になる。
【００５８】
会員サーバ７から受信した「レシートの発行形式Ｎｏ．」が“３”であった場合には、売上商品の明細を印字することなく合計金額のみをプリンタ１９によって印字用紙上に印字し、図１２に示すような通常レシートに比べて長さの短いレシート（合計のみレシート）Ｒ３を発行する。このように、合計金額のみを確認したい顧客に対しては、無駄となる売上明細等を排除して合計金額のみが印字された合計のみレシートＲ３を発行することにより、印字用紙の消費量を低減することが可能になる。
【００５９】
会員サーバ７から受信した「レシートの発行形式Ｎｏ．」が“４”であった場合には、プリンタ１９によってレシートを発行することなく、そのまま処理を終了する。これにより、レシートが不要な顧客に対しては、最初からレシートが発行されないので、印字用紙の無駄や印字用の消費電力の無駄が少なくなる。
【００６０】
会員サーバ７から受信した「レシートの発行形式Ｎｏ．」が“５”であった場合には、売上商品の明細を印字することなく合計金額のみをプリンタ１９によって印字用紙上に印字した図１３に示すような領収書Ｒ４を発行する。これにより、領収書Ｒ４の発行の際には他のレシートを無駄に発行することが防止されるので、印字用紙の消費量を低減することが可能になる。
【００６１】
会員サーバ７から受信した「レシートの発行形式Ｎｏ．」が“６”であった場合には、レシート情報（レシートイメージやＣＳＶ形式データ等）をＥメールによって買上げ客の指定するパーソナルコンピュータ等に転送する。より詳細には、レシート情報（レシートイメージやＣＳＶ形式データ等）が累計ポイント値の情報や取引データ等に基づいて生成され、このレシート情報が会員マスタファイルＦ３に記憶されている会員情報（Ｅメールアドレス）に応じてストアコンピュータ４からインターネットを介して会員のパーソナルコンピュータ等の電子機器（図示せず）に送信されるものである。これにより、商品の売上登録処理に基づいて生成された取引データを会員のパーソナルコンピュータ等の電子機器にインストールされている家計簿ソフトウェア等に直接取り込むことが可能になるので、使い勝手が飛躍的に向上する。
【００６２】
会員サーバ７から受信した「レシートの発行形式Ｎｏ．」が“７”であった場合には、レシート情報（ＣＳＶ形式データ等）を会員カードＣのＥＥＰＲＯＭにＩＣカードリーダライタ１２を用いて書き込む。より詳細には、レシート情報（ＣＳＶ形式データ等）が累計ポイント値の情報や取引データ等に基づいて生成され、このレシート情報がＩＣカードリーダライタ１２に挿入されている会員カードＣのＥＥＰＲＯＭに書き込まれるものである。これにより、商品の売上登録処理に基づいて生成された取引データを会員カードＣのＥＥＰＲＯＭにまとめておき、データが必要な場合には会員カードＣのＥＥＰＲＯＭから取引データを出力することが可能になるので、使い勝手が飛躍的に向上する。
【００６３】
以上のような会員サーバ７から受信した「レシートの発行形式Ｎｏ．」に基づくレシート発行処理を実行した後、今回の取引が終了する。ここに、レシート発行手段の機能が実行される。
【００６４】
一方、顧客により会員カードＣが提示されるとともにポイントによる値引処理の希望があった場合には、顧客が提示した会員カードＣを受け取り、「ポイント値引」キー９ｆを操作する。ＰＯＳ制御部１４が「ポイント値引」キー９ｆの操作を検知すると（ステップＳ９のＹ）、今回の値引処理に係るポイント値の算出処理を実行する（ステップＳ１０）。なお、ステップＳ９における今回の値引処理に係るポイント値の算出処理は、例えば、
値引金額÷１ポイント当たりの金額
のようにして算出される。
【００６５】
次に、提示された会員カードＣについてＩＣカードリーダライタ１２で読み取りを行って会員コードを取得し（ステップＳ１１）、その会員コードをキーとしてストアコンピュータ４を介して会員サーバ７側にポイントの減算処理の依頼及びレシート発行形式の問合せを行う（ステップＳ１２）。なお、このポイントの減算処理の依頼には、会員コードの他、算出された今回の減算ポイント値も含まれる。ここに、発行区分取得手段の機能の一部が実行される。
【００６６】
この問合せを受けた会員サーバ７側では、図９に示すように、ポイント減算の問合せと認識し（ステップＳ２６のＹ）、問合せのあった会員コードに基づいて会員マスタファイルＦ３を検索し、会員マスタファイルＦ３のポイント値から今回のポイント値を減算して会員マスタファイルＦ３を更新するとともに、減算された累積ポイント値を読み出す（ステップＳ２７）。
【００６７】
加えて、問合せのあった会員コードに基づいてレシート選択ファイルＦ４を検索し、レシートの発行形式選択に係るデータ（「レシートの発行形式Ｎｏ．」）を読み出す（ステップＳ２８）。
【００６８】
その後、減算された累積ポイント値及びレシートの発行形式選択に係るデータ（「レシートの発行形式Ｎｏ．」）を含む伝文をセットし（ステップＳ２９）、その伝文を問合せのあったＰＯＳ端末２に応答する（ステップＳ３０）。ここに、発行区分取得手段の機能の一部が実行される。
【００６９】
ポイント値及びレシート発行形式を問合せたＰＯＳ端末２では、この応答を受けた後、預／現計キー９ｃなどの締めキーが操作されたかをチェックし（ステップＳ１３）、締めキーが操作されていれば（ステップＳ１３のＹ）、締め処理を実行する（ステップＳ１４）。この締め処理においては、売上登録処理された売上登録データをストアコンピュータ４へ送信する等の処理が実行される。なお、このようにストアコンピュータ４へ送信された売上登録データは、売上ファイルＦ２に記憶される。
【００７０】
その後、ステップＳ１５に進み、レシート発行処理を実行する。レシート発行処理は、会員サーバ７から受信した「レシートの発行形式Ｎｏ．」に基づいて実行される。なお、ステップＳ１５におけるレシート発行処理は、ステップＳ８におけるレシート発行処理と何ら変わるところはないので、その説明は省略する。
【００７１】
会員サーバ７から受信した「レシートの発行形式Ｎｏ．」に基づくレシート発行処理を実行した後、今回の取引が終了する。
【００７２】
なお、ＩＣカードリーダライタ１２で読み取られた会員コードが無効であったり、会員カードＣを持っていない顧客の場合には、預／現計キー９ｃなどの締めキーが操作されたかをチェックし（ステップＳ１６）、締めキーが操作されていれば（ステップＳ１６のＹ）、締め処理を実行する（ステップＳ１７）。この締め処理においては、売上登録処理された売上登録データをストアコンピュータ４へ送信する等の処理が実行される。なお、このようにストアコンピュータ４へ送信された売上登録データは、売上ファイルＦ２に記憶される。
【００７３】
その後、ポイント情報を含まない商品買上げ合計額等のみの取引データをプリンタ１９によって印字用紙上に印字し、レシートを発行する（ステップＳ１８）。このレシートを顧客に手渡すことにより、今回の取引が終了する。なお、この場合に発行されるレシートは、図１０に示したような標準とされるレシート（通常レシート）Ｒ１である。
【００７４】
ここに、会員カードＣを所有する会員顧客が希望するレシートの発行に係る発行区分に応じ、レシートを発行するレシート発行処理又はレシート発行処理に相当する処理が選択的に実行される。これにより、レシートの発行に係る発行区分（つまり、レシート発行形式）を会員顧客毎に自動的に選択することが可能になる。例えば、レシートを希望しない顧客に対してはレシートの発行を中止し、電子データを希望する顧客に対してはレシート情報（レシートイメージやＣＳＶ形式データ等）をＥメールで転送する等のレシート発行形式を会員顧客の希望に沿って自動選択することが可能になる。
【００７５】
なお、本実施の形態の商品販売データ処理システム１は、複数台のＰＯＳ端末２をストアコンピュータ４に接続したＰＯＳシステム５と、会員サーバ７とで構成したがこれに限るものではない。例えば、１台のスタンドアロン型のＥＣＲのみからなる構成であっても同様に適用できる。この場合、前述したＰＯＳ端末２の構成を借用して説明すれば、そのメモリ部１５中に会員マスタファイルＦ３を備え、ＰＯＳ制御部１４に前述したような全ての制御を受け持たせればよい。また、ストアコンピュータ４と会員サーバ７とは、一体であっても良い。
【００７６】
次に、本発明の第二の実施の形態を図１４ないし図１８に基づいて説明する。なお、本発明の第一の実施の形態において説明した部分と同一部分については同一符号を用い、説明も省略する。本実施の形態は、前述した第一の実施の形態とは、商品販売データ処理システムのシステム構成が異なるものである。
【００７７】
ここで、図１４は本実施の形態の商品販売データ処理システム５０を概略的に示すシステム構成図である。図１４に示すように、本実施の形態の商品販売データ処理システム５０は、第一の実施の形態において説明した商品販売データ処理システム１に加えて、顧客に対する種々の情報の提供を簡易な操作で可能にした情報提供装置５１を備えているものである。
【００７８】
情報提供装置５１は、レシート発行端末として機能し、ＰＯＳ端末２と同様にストアコンピュータ４を経由して会員サーバ７に接続されている。情報提供装置５１は、その外観については周知のものと何ら変わるものではないため説明を簡略化するが、図１５に示すように、ハウジング５２の上面に配置される液晶表示パネルである表示装置５３、この表示装置５３の表示面に重ねて配置される入力装置としてのタッチパネル５４、入力装置としてのキーボード５５、ＩＣカードである会員カードＣの挿入を受付けてその会員カードＣとの間でデータの授受を行うＩＣカードリーダライタ５６、及び、ハウジングの内部に内蔵されたプリンタ５７（図１６参照）によって印刷された印刷物（例えば、レシートやチケット等）を発行するための発行口５７ａを備えている。
【００７９】
このような情報提供装置５１の電装系は図１６に示すように構成されている。情報提供装置５１は、ＣＰＵ、このＣＰＵを動作させるための制御プログラムを格納するＲＯＭ、ＲＡＭ等で構成されるコンピュータ構成の制御部５８と、ＲＯＭ等で構成されるメモリ部５９とを保有し、バス６０を介して接続された通信インタフェース６１から、ＬＡＮ３を介してストアコンピュータ４との間で相互にオンライン通信を実行し得るように構成されている。そして、制御部５８は、ＣＰＵがＲＯＭの制御プログラムに従って動作することにより、後述する識別番号取得手段と、印字データ取得手段と、レシート発行手段とを実現する。
【００８０】
また、制御部５８には、バス６０及びＩ／Ｏ機器制御部６２を介して、前述した表示装置５３、タッチパネル５４、キーボード５５、ＩＣカードリーダライタ５６とともに、プリンタ５７が接続されている。
【００８１】
一方、本実施の形態の商品販売データ処理システム５０においては、第一の実施の形態の商品販売データ処理システム１とは、会員サーバ７のハードディスクドライブ装置（ＨＤＤ）３７に格納されるレシート選択ファイルＦ４（図７参照）において記憶されるレシートの発行形式選択に係るデータの種別が異なるものとなっている。本実施の形態のレシートの発行形式選択に係るデータは、レシートの発行形式Ｎｏ．であって、
発行形式Ｎｏ．１  ：  通常レシート発行
発行形式Ｎｏ．２  ：  縮小印字
発行形式Ｎｏ．３  ：  合計のみ印字
発行形式Ｎｏ．４  ：  レシート発行不要
発行形式Ｎｏ．５  ：  領収書発行
発行形式Ｎｏ．６  ：  Ｅメール転送
発行形式Ｎｏ．７  ：  ＩＣカード蓄積
発行形式Ｎｏ．１１  ：  情報提供装置５１からの通常レシート発行
発行形式Ｎｏ．１２  ：  情報提供装置５１からの縮小印字
発行形式Ｎｏ．１３  ：  情報提供装置５１からの合計のみ印字
発行形式Ｎｏ．１４  ：  情報提供装置５１からの領収書発行
の１１パターンに区分けされている。
【００８２】
１１パターンのレシートの発行形式選択に係るデータのうち、縮小印字、合計のみ印字、領収書発行、Ｅメール転送、ＩＣカード蓄積については、第一の実施の形態で説明したものと何ら変わるものではないため、その説明は省略する。発行形式Ｎｏ．１１の情報提供装置５１での通常レシート発行は、情報提供装置５１のプリンタ５７により標準ピッチ及び標準文字サイズで印字したレシートを発行するものである。発行形式Ｎｏ．１２の情報提供装置５１での縮小印字は、情報提供装置５１のプリンタ５７による印字の際に通常印字に比べて印字文字サイズやフィードピッチを小さくすることにより、発行されるレシートの長さを短くするものである。発行形式Ｎｏ．１３の情報提供装置５１での合計のみ印字は、情報提供装置５１のプリンタ５７による印字の際に通常印字とは異なり売上商品の明細を印字することなく合計金額のみを印字することにより、発行されるレシートの長さを短くするものである。発行形式Ｎｏ．１４の情報提供装置５１での領収書発行は、レシートを領収書の態様で発行するものである。
【００８３】
つまり、本実施の形態における売上処理の際に、顧客により会員カードＣが提示され、この提示された会員カードＣの会員コードに基づいてレシート選択ファイルＦ４を検索し、会員サーバ７から受信したレシートの発行形式選択に係るデータ（「レシートの発行形式Ｎｏ．」）に基づくＰＯＳ端末２におけるレシート発行処理（図８に示すステップＳ８、ステップＳ１５）は、以下のようになる。
【００８４】
会員サーバ７から受信した「レシートの発行形式Ｎｏ．」が“１”であった場合には、累計ポイント値の情報を含む取引データをプリンタ１９によって印字用紙上に標準ピッチ及び標準文字サイズで印字し、図１０に示すような標準とされるレシート（通常レシート）Ｒ１を発行する。
【００８５】
会員サーバ７から受信した「レシートの発行形式Ｎｏ．」が“２”であった場合には、累計ポイント値の情報を含む取引データをプリンタ１９によって印字用紙上に通常印字に比べて印字文字サイズやフィードピッチを小さくして印字し、図１１に示すような通常レシートに比べて長さの短いレシート（縮小レシート）Ｒ２を発行する。
【００８６】
会員サーバ７から受信した「レシートの発行形式Ｎｏ．」が“３”であった場合には、売上商品の明細を印字することなく合計金額のみをプリンタ１９によって印字用紙上に印字し、図１２に示すような通常レシートに比べて長さの短いレシート（合計のみレシート）Ｒ３を発行する。
【００８７】
会員サーバ７から受信した「レシートの発行形式Ｎｏ．」が“４”であった場合には、プリンタ１９によってレシートを発行することなく、そのまま処理を終了する。
【００８８】
会員サーバ７から受信した「レシートの発行形式Ｎｏ．」が“５”であった場合には、売上商品の明細を印字することなく合計金額のみをプリンタ１９によって印字用紙上に印字した図１３に示すような領収書Ｒ４を発行する。
【００８９】
会員サーバ７から受信した「レシートの発行形式Ｎｏ．」が“６”であった場合には、レシート情報（レシートイメージやＣＳＶ形式データ等）をＥメールによって買上げ客の指定するパーソナルコンピュータ等に転送する。より詳細には、レシート情報（レシートイメージやＣＳＶ形式データ等）が累計ポイント値の情報や取引データ等に基づいて生成され、このレシート情報が会員マスタファイルＦ３に記憶されている会員情報（Ｅメールアドレス）に応じてストアコンピュータ４からインターネットを介して送信されるものである。
【００９０】
会員サーバ７から受信した「レシートの発行形式Ｎｏ．」が“７”であった場合には、レシート情報（ＣＳＶ形式データ等）を会員カードＣのＥＥＰＲＯＭにＩＣカードリーダライタ１２を用いて書き込む。より詳細には、レシート情報（ＣＳＶ形式データ等）が累計ポイント値の情報や取引データ等に基づいて生成され、このレシート情報がＩＣカードリーダライタ１２に挿入されている会員カードＣのＥＥＰＲＯＭに書き込まれるものである。
【００９１】
会員サーバ７から受信した「レシートの発行形式Ｎｏ．」が“１１”であった場合には、累計ポイント値の情報を含む取引データを情報提供装置５１のプリンタ５７によって印字用紙上に標準ピッチ及び標準文字サイズで印字し、図１０に示すような標準とされるレシート（通常レシート）Ｒ１を発行するものであるため、当該“通常レシートＲ１”の印字データを会員コードに対応付けて会員サーバ７に送信し、印字データ記憶部である会員サーバ７のハードディスクドライブ装置（ＨＤＤ）３７の所定のエリア（印字データファイル）に格納する。
【００９２】
会員サーバ７から受信した「レシートの発行形式Ｎｏ．」が“１２”であった場合には、累計ポイント値の情報を含む取引データを情報提供装置５１のプリンタ５７によって印字用紙上に通常印字に比べて印字文字サイズやフィードピッチを小さくして印字し、図１１に示すような通常レシートに比べて長さの短いレシート（縮小レシート）Ｒ２を発行するものであるため、当該“縮小レシートＲ２”の印字データを会員コードに対応付けて会員サーバ７に送信し、会員サーバ７のハードディスクドライブ装置（ＨＤＤ）３７の所定のエリア（印字データファイル）に格納する。
【００９３】
会員サーバ７から受信した「レシートの発行形式Ｎｏ．」が“１３”であった場合には、売上商品の明細を印字することなく合計金額のみを情報提供装置５１のプリンタ５７によって印字用紙上に印字し、図１２に示すような通常レシートに比べて長さの短いレシート（合計のみレシート）Ｒ３を発行するものであるため、当該“合計のみレシートＲ３”の印字データを会員コードに対応付けて会員サーバ７に送信し、会員サーバ７のハードディスクドライブ装置（ＨＤＤ）３７の所定のエリア（印字データファイル）に格納する。
【００９４】
会員サーバ７から受信した「レシートの発行形式Ｎｏ．」が“１４”であった場合には、売上商品の明細を印字することなく合計金額のみを情報提供装置５１のプリンタ５７によって印字用紙上に印字した図１３に示すような領収書Ｒ４を発行するものであるため、当該“領収書Ｒ４”の印字データを会員コードに対応付けて会員サーバ７に送信し、会員サーバ７のハードディスクドライブ装置（ＨＤＤ）３７の所定のエリア（印字データファイル）に格納する。
【００９５】
以上のような会員サーバ７から受信した「レシートの発行形式Ｎｏ．」に基づくレシート発行処理を実行することで取引が終了する。
【００９６】
本実施の形態においては、ＰＯＳ端末２での取引が終了した顧客であって「レシートの発行形式Ｎｏ．」“１１〜１４”を選択した顧客は、所望のタイミングで情報提供装置５１から「レシートの発行形式Ｎｏ．」“１１〜１４”のいずれかの形式のレシート等を発行することが可能になっている。続いて、情報提供装置５１を利用したレシート発行処理について、情報提供装置５１側の制御部５８による制御処理を示す図１７のフローチャート、及び、会員サーバ７側のサーバ制御部２９による制御処理を示す図１８のフローチャートを参照して説明する。
【００９７】
顧客は、情報提供装置５１のＩＣカードリーダライタ５６に会員カードＣを挿入するとともに表示装置５３に表示された「レシート発行」キー（図示せず）をタッチパネル５４を介して操作する。そして、制御部５８は「レシート発行」キーの操作を検知すると（ステップＳ４１のＹ）、ＩＣカードリーダライタ５６に挿入された会員カードＣについてＩＣカードリーダライタ５６で読み取りを行って会員コードを取得し（ステップＳ４２：識別番号取得手段）、その会員コードをキーとして会員サーバ７側に印字データの問合せを行う（ステップＳ４３：印字データ取得手段）。
【００９８】
印字データの問合せを受けた会員サーバ７側では、図１８に示すように、印字データの問合せを認識し（ステップＳ５１のＹ）、問合せのあった会員コードに基づいて印字データファイルを検索し、問合せのあった会員コードに対応付けられた印字データを読み出す（ステップＳ５２）。
【００９９】
その後、読み出した印字データを含む伝文をセットし（ステップＳ５３）、その伝文を問合せのあった情報提供装置５１に応答する（ステップＳ５４：印字データ取得手段）。
【０１００】
印字データを問合せた情報提供装置５１では、この応答を受けた後、印字データに基づいてプリンタ５７によりレシート等を印字発行するレシート発行処理を実行する（ステップＳ４４：レシート発行手段）。ここでプリンタ５７により印字発行されるレシート等は、「レシートの発行形式Ｎｏ．」が“１１”であった場合には図１０に示すような標準とされるレシート（通常レシート）Ｒ１であり、「レシートの発行形式Ｎｏ．」が“１２”であった場合には図１１に示すような通常レシートに比べて長さの短いレシート（縮小レシート）Ｒ２であり、「レシートの発行形式Ｎｏ．」が“１３”であった場合には図１２に示すような通常レシートに比べて長さの短いレシート（合計のみレシート）Ｒ３であり、「レシートの発行形式Ｎｏ．」が“１４”であった場合には図１３に示すような領収書Ｒ４である。
【０１０１】
ここに、商品の売上登録処理に基づいて生成された取引データに基づいて所定の印字形式に生成された印字データが必要な場合に、その印字データに対応付けられている会員カードＣ毎に付された会員顧客を特定する識別番号である会員コードを、情報提供装置５１のＩＣカードリーダライタ５６に会員カードＣを挿入して読み取ることで、印字データに基づくレシート等（Ｒ１，Ｒ２，Ｒ３，Ｒ４）を印字発行することが可能になる。例えば、一定期間にわたって印字データをまとめて会員サーバ７のハードディスクドライブ装置（ＨＤＤ）３７の所定のエリア（印字データファイル）に記憶しておき、家計簿の記載等の所望のタイミングで印字データに基づくレシート等を情報提供装置５１からまとめて印字発行することが可能になるので、使い勝手が飛躍的に向上する。
【０１０２】
なお、本実施の形態においては、会員サーバ７から受信した「レシートの発行形式Ｎｏ．」が“７”であった場合には、レシート情報（ＣＳＶ形式データ等）を会員カードＣのＥＥＰＲＯＭにＩＣカードリーダライタ１２を用いて書き込むようにした。このようにして会員カードＣのＥＥＰＲＯＭに書き込まれたレシート情報（ＣＳＶ形式データ等）を情報提供装置５１のＩＣカードリーダライタ５６を用いて読み取り、読み取ったレシート情報（ＣＳＶ形式データ等）に応じてレシート等（Ｒ１，Ｒ２，Ｒ３，Ｒ４）を発行するようにしても良い。このようにしても、家計簿の記載等の所望のタイミングでレシート等を情報提供装置５１からまとめて印字発行することが可能になるので、使い勝手が飛躍的に向上する。
【０１０３】
なお、各実施の形態においては、レシートの発行に係る発行区分である「レシートの発行形式Ｎｏ．」をレシート選択ファイルＦ４において会員カードＣの会員コードに対応付けて記憶するようにしたが、これに限るものではなく、会員カードＣにレシートの発行に係る発行区分である「レシートの発行形式Ｎｏ．」を記憶するようにしても良い。この場合には、会員カードＣからレシートの発行に係る発行区分である「レシートの発行形式Ｎｏ．」を直接読み取って処理を実行する（発行区分取得手段）ことになる。
【０１０４】
また、各実施の形態においては、会員カードＣとしてＩＣメモリを有するＩＣカードで構成したが、これに限るものではなく、磁気ストライプを有する磁気カードで構成するようにしても良い。ただし、その場合には、カードリーダも磁気カードに対応させる必要があるのは言うまでもない。
【０１０５】
【発明の効果】
請求項１記載の発明の商品販売データ処理装置によれば、商品の売上登録処理に基づいて生成された取引データをプリンタによって印字用紙に印字してレシートとして発行可能な商品販売データ処理装置において、前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得手段と、この発行区分取得手段により取得された前記レシートの発行区分に応じ、前記レシートを発行するレシート発行処理又はレシート発行処理に相当する処理を選択的に実行するレシート発行手段と、を備え、会員カードを所有する会員顧客が希望するレシートの発行に係る発行区分に応じ、レシートを発行するレシート発行処理又はレシート発行処理に相当する処理を選択的に実行することにより、レシートの発行に係る発行区分（つまり、レシート発行形式）を会員顧客毎に自動的に選択することができるので、例えばレシートを希望しない顧客に対してはレシートの発行を中止し、電子データを希望する顧客に対してはレシートデータをＥメールで転送する等のレシート発行形式を会員顧客の希望に沿って自動選択することができる。
【０１０６】
請求項２記載の発明によれば、請求項１記載の商品販売データ処理装置において、前記レシートの発行区分に応じて前記レシート発行手段により実行される前記レシート発行処理の一つは、前記プリンタによる印字のフィードピッチ及び文字サイズを小さくした縮小印字による縮小レシートを発行するものであって、たとえ買上げ商品点数が多い場合であってもレシート長を短く抑えることが可能な縮小レシートを発行するようにしたことにより、財布等にレシートをしまう際におけるレシートの取り扱いを容易にすることができるとともに、印字用紙の消費量を低減することができる。
【０１０７】
請求項３記載の発明によれば、請求項１記載の商品販売データ処理装置において、前記レシートの発行区分に応じて前記レシート発行手段により実行される前記レシート発行処理の一つは、前記取引データとして合計金額のみを前記プリンタにより印字した合計のみレシートを発行するものであって、合計金額のみを確認したい顧客に対しては、無駄となる売上明細等を排除して合計金額のみが印字された合計のみレシートを発行することにより、印字用紙の消費量を低減することができる。
【０１０８】
請求項４記載の発明によれば、請求項１記載の商品販売データ処理装置において、前記レシートの発行区分に応じて前記レシート発行手段により実行される前記レシート発行処理の一つは、前記プリンタによる前記レシートの発行を中止するものであって、レシートが不要な顧客に対しては最初からレシートを発行しないことにより、印字用紙の無駄や印字用の消費電力の無駄を少なくすることができる。
【０１０９】
請求項５記載の発明によれば、請求項１記載の商品販売データ処理装置において、前記レシートの発行区分に応じて前記レシート発行手段により実行される前記レシート発行処理の一つは、前記取引データとして合計金額のみを前記プリンタにより印字した領収書を発行するものであって、領収書のみを発行するようにしたことにより、領収書発行の際にはレシートを無駄に発行することを防止することができるので、印字用紙の消費量を低減することができる。
【０１１０】
請求項６記載の発明によれば、請求項１記載の商品販売データ処理装置において、前記レシートの発行区分に応じて前記レシート発行手段により実行される前記レシート発行処理に相当する処理の一つは、前記取引データをネットワークを介して所定の電子機器に送信するものであって、商品の売上登録処理に基づいて生成された取引データを電子機器にインストールされている家計簿ソフトウェア等に直接取り込むことができるようになるので、使い勝手を飛躍的に向上させることができる。
【０１１１】
請求項７記載の発明によれば、請求項１記載の商品販売データ処理装置において、前記レシートの発行区分に応じて前記レシート発行手段により実行される前記レシート発行処理に相当する処理の一つは、前記取引データを前記会員カードに設けられた記憶部に記憶するものであって、商品の売上登録処理に基づいて生成された取引データを会員カードに設けられた記憶部にまとめておき、データが必要な場合には会員カードに設けられた記憶部から取引データを出力することができるようになるので、使い勝手を飛躍的に向上させることができる。
【０１１２】
請求項８記載の発明によれば、請求項１記載の商品販売データ処理装置において、前記レシートの発行区分に応じて前記レシート発行手段により実行される前記レシート発行処理に相当する処理の一つは、前記取引データに基づいて所定の印字形式に生成された印字データを前記会員カード毎に付された会員顧客を特定する識別番号に対応付けて印字データ記憶部に記憶するものであって、商品の売上登録処理に基づいて生成された取引データに基づいて所定の印字形式に生成された印字データが必要な場合に、その印字データに対応付けられている会員カード毎に付された会員顧客を特定する識別番号を入力することで印字データに基づくレシート等を印字発行することができるようになるので、例えば、一定期間にわたって印字データをまとめて印字データ記憶部に記憶しておき、家計簿の記載等の所望のタイミングで印字データに基づくレシート等をまとめて印字発行することができ、使い勝手を飛躍的に向上させることができる。
【０１１３】
請求項９記載の発明のレシート発行端末によれば、レシートを印字発行可能なプリンタを搭載したレシート発行端末であって、請求項７記載の商品販売データ処理装置により記憶部に取引データを記憶した会員カードから前記取引データを取得する取引データ取得手段と、この取引データ取得手段により取得した前記取引データに応じ、前記レシートを発行するレシート発行処理を実行するレシート発行手段と、を備えることにより、例えば、一定期間にわたって取引データをまとめて会員カードの記憶部に記憶しておき、家計簿の記載等の所望のタイミングで取引データに基づくレシート等をまとめて印字発行することができるので、使い勝手を飛躍的に向上させることができる。
【０１１４】
請求項１０記載の発明のレシート発行端末によれば、レシートを印字発行可能なプリンタを搭載し、請求項８記載の商品販売データ処理装置に接続されたレシート発行端末であって、会員カードから会員顧客を特定する識別番号を取得する識別番号取得手段と、この識別番号取得手段により取得した前記識別番号に基づき、印字データ記憶部に記憶された印字データを取得する印字データ取得手段と、この印字データ取得手段により取得した前記印字データに応じ、前記レシートを発行するレシート発行処理を実行するレシート発行手段と、を備え、会員顧客を特定する識別番号に基づいて印字データ記憶部から所望の印字データを取得し、この印字データに応じてレシートを発行するレシート発行処理を実行することにより、例えば、一定期間にわたって印字データをまとめて印字データ記憶部に記憶しておき、家計簿の記載等の所望のタイミングで印字データに基づくレシート等をまとめて印字発行することができるので、使い勝手を飛躍的に向上させることができる。
【０１１５】
請求項１１記載の発明のレシート印字形式の選択方法によれば、商品の売上登録処理に基づいて生成された取引データをプリンタによって印字用紙に印字してレシートとして発行可能な商品販売データ処理装置において用いられ、プロセッサ演算処理により実現されるレシート印字形式の選択方法であって、前記レシートの発行に係る発行区分を予め複数用意し、会員カードを所有する会員顧客が希望する前記レシートの発行に係る発行区分を、当該会員顧客の前記会員カードに記憶されているデータを読み取ることにより取得する発行区分取得工程と、この発行区分取得工程により取得した前記レシートの発行区分に応じ、前記レシートを発行するレシート発行処理又はレシート発行処理に相当する処理を選択的に実行するレシート発行工程と、を含み、会員カードを所有する会員顧客が希望するレシートの発行に係る発行区分に応じ、レシートを発行するレシート発行処理又はレシート発行処理に相当する処理を選択的に実行することにより、レシートの発行に係る発行区分（つまり、レシート発行形式）を会員顧客毎に自動的に選択することができるので、例えばレシートを希望しない顧客に対してはレシートの発行を中止し、電子データを希望する顧客に対してはレシートデータをＥメールで転送する等のレシート発行形式を会員顧客の希望に沿って自動選択することができる。
【０１１６】
請求項１２記載の発明のプログラムによれば、商品の売上登録処理に基づいて生成された取引データをプリンタによって印字用紙に印字してレシートとして発行可能な商品販売データ処理装置が備えるコンピュータを制御するプログラムであって、前記レシートの発行に係る発行区分が予め複数用意されており、会員カードを所有する会員顧客が希望する前記レシートの発行に係る発行区分を、当該会員顧客の前記会員カードに記憶されているデータを読み取ることにより取得する発行区分取得機能と、この発行区分取得機能により取得された前記レシートの発行区分に応じ、前記レシートを発行するレシート発行処理又はレシート発行処理に相当する処理を選択的に実行するレシート発行機能と、を前記コンピュータに実行させ、会員カードを所有する会員顧客が希望するレシートの発行に係る発行区分に応じ、レシートを発行するレシート発行処理又はレシート発行処理に相当する処理を選択的に実行することにより、レシートの発行に係る発行区分（つまり、レシート発行形式）を会員顧客毎に自動的に選択することができるので、例えばレシートを希望しない顧客に対してはレシートの発行を中止し、電子データを希望する顧客に対してはレシートデータをＥメールで転送する等のレシート発行形式を会員顧客の希望に沿って自動選択することができる。
【図面の簡単な説明】
【図１】本発明の第一の実施の形態の商品販売データ処理システムを概略的に示すシステム構成図である。
【図２】ＰＯＳ端末の構成を示す外観斜視図である。
【図３】キーボードのキー配置を示す平面図である。
【図４】ＰＯＳ端末の電装系を示すブロック図である。
【図５】ストアコンピュータの電装系を示すブロック図である。
【図６】会員サーバの電装系を示すブロック図である。
【図７】レシート選択ファイルのデータ構成を模式的に示す説明図である。
【図８】ＰＯＳ端末側の制御処理を示すフローチャートである。
【図９】会員サーバ側の制御処理を示すフローチャートである。
【図１０】通常レシートの一例を示す平面図である。
【図１１】縮小レシートの一例を示す平面図である。
【図１２】合計のみレシートの一例を示す平面図である。
【図１３】領収書の一例を示す平面図である。
【図１４】本発明の第二の実施の形態の商品販売データ処理システムを概略的に示すシステム構成図である。
【図１５】情報提供装置の構成を示す外観斜視図である。
【図１６】情報提供装置の電装系を示すブロック図である。
【図１７】情報提供装置側の制御処理を示すフローチャートである。
【図１８】会員サーバ側の制御処理を示すフローチャートである。
【符号の説明】
１        商品販売データ処理装置
１９，５７      プリンタ
３７      印字データ記憶部
５１      レシート発行端末
Ｃ        会員カード
Ｒ２      縮小レシート
Ｒ３      合計のみレシート
Ｒ４      領収書
【図１】
0003774378.tif 000002
【図２】
0003774378.tif 000003
【図３】
0003774378.tif 000004
【図４】
0003774378.tif 000005
【図５】
0003774378.tif 000006
【図６】
0003774378.tif 000007
【図７】
0003774378.tif 000008
【図８】
0003774378.tif 000009
【図９】
0003774378.tif 000010
【図１０】
0003774378.tif 000011
【図１１】
0003774378.tif 000012
【図１２】
0003774378.tif 000013
【図１３】
0003774378.tif 000014
【図１４】
0003774378.tif 000015
【図１５】
0003774378.tif 000016
【図１６】
0003774378.tif 000017
【図１７】
0003774378.tif 000018
【図１８】
0003774378.tif 000019